(57)【要約】      （修正有）【課題】被収納物が重い場合でも持ち運びに楽な段ボール製包装箱を提供する。【解決手段】短辺側の側板２の下端とこの側板２に繋がる底蓋形成用フラップ６との連設部の位置で幅方向中央部で折曲線が分断され、短辺側の側板２の下端と底蓋形成用フラップ６との連設部における両端部に存在する折曲線間において折曲線の高さよりも上側に位置する側板２の下端近傍の水平な折曲線１３を介して側板２に繋がる折り曲げ片１４が側板２と底蓋形成用フラップ６とに跨って形成され、長辺側の側板の下端に連設される底蓋形成用フラップ７の先端近傍部両側には切り込みを入れて折り曲げ片１７が形成され、長辺側の側板の突き合わせ部に沿い短辺側の側板２の下端近傍に亘って貼り付けられる封緘テープ１９によって前記折り曲げ片１７は先端が前記折り曲げ片１４に下側から当接し折り曲げ片１７は外側に上向きに傾斜した状態となるように構成した。【選択図】図６
0003148102.tif 000002
【実用新案登録請求の範囲】
【請求項１】
２組の対向側板と、この対向側板の下端に水平な折曲線を介して連設されている底蓋形成用フラップと、同じく対向側板の上端に水平な折曲線を介して連設されている上蓋形成用フラップとからなる平面形状が矩形の段ボール製包装箱であって、１組の対向側板の下端とこの対向側板に繋がる底蓋形成用フラップとの連設部の位置で幅方向中央部で折曲線が分断され、１組の対向側板の下端とこの対向側板に繋がる底蓋形成用フラップとの連設部における両端部に存在する折曲線間において折曲線の高さよりも上側に位置する１組の対向側板の下端近傍の水平な折曲線を介して１組の対向側板に繋がる折り曲げ片が１組の対向側板と底蓋形成用フラップとに跨って形成されており、他の組の対向側板の下端に連設される底蓋形成用フラップの先端近傍部両側には切り込みを入れて折り曲げ片が形成されており、前記他の組の対向側板の突き合わせ部に沿い１組の対向側板の下端近傍に亘って貼り付けられる封緘テープによって他の組の対向側板側の折り曲げ片は先端が前記１組の対向側板側に繋がる折り曲げ片に下側から当接し他の組の対向側板側の折り曲げ片は外側に上向きに傾斜した状態となるように構成したことを特徴とする段ボール製包装箱。
【請求項２】
１組の対向側板と底蓋形成用フラップとに跨って形成されている折り曲げ片にこの折り曲げ片の１組の対向側板との繋がり部の折曲線と平行に折曲線が形成されていることを特徴とする請求項１記載の段ボール製包装箱。
【請求項３】
２組の対向側板と、この対向側板の下端に水平な折曲線を介して連設されている底蓋形成用フラップと、同じく対向側板の上端に水平な折曲線を介して連設されている上蓋形成用フラップとからなる平面形状が矩形の段ボール製包装箱であって、１組の対向側板の上端とこの対向側板に繋がる上蓋形成用フラップとの連設部の位置で幅方向中央部で折曲線が分断され、１組の対向側板の上端とこの対向側板に繋がる上蓋形成用フラップとの連設部における両端部に存在する折曲線間において折曲線の高さよりも下側に位置する１組の対向側板の上端近傍の水平な折曲線を介して１組の対向側板に繋がる折り曲げ片が１組の対向側板と上蓋形成用フラップとに跨って形成されており、他の組の対向側板の上端に連設される上蓋形成用フラップの先端近傍部両側には切り込みを入れて折り曲げ片が形成されており、前記他の組の対向側板の突き合わせ部に沿い１組の対向側板の上端近傍に亘って貼り付けられる封緘テープによって他の組の対向側板側の折り曲げ片は先端が前記１組の対向側板側に繋がる折り曲げ片に上側から当接し他の組の対向側板側の折り曲げ片は外側に下向きに傾斜した状態となるように構成したことを特徴とする請求項１または２記載の段ボール製包装箱。
【請求項４】
１組の対向側板と上蓋形成用フラップとに跨って形成されている折り曲げ片にこの折り曲げ片の１組の対向側板との繋がり部の折曲線と平行に折曲線が形成されていることを特徴とする請求項３記載の段ボール製包装箱。
【考案の詳細な説明】
【技術分野】
【０００１】
本考案は、被収納物を収納した状態で抱えて持ち運びに楽な段ボール製包装箱に関するものである。
【背景技術】
【０００２】
従来のこの種段ボール製包装箱において、被収納物を収納した包装箱を持ち易くするために特許文献１に開示されているように、段ボールなどの厚紙製の包装箱の側壁に、該側壁の上縁とほぼ平行する折曲部と該折曲部の両端に連続するほぼＵ字状の切込線とでフラップ片を形成し、該フラップ片を包装箱の内部に折込んだ把手孔において、前記フラップ片をその先端が当該把手孔の上部の側壁部へ近接した上壁部へ接触する状態に折返したものが知られている。
【特許文献１】実開昭６３−１７７２１８号公報
【考案の開示】
【考案が解決しようとする課題】
【０００３】
上記特許文献１に開示されている包装箱の把手孔構造では、側壁に形成された把手孔の上端に側壁の内側に折り曲げられるフラップ片を連設し、把手孔の上端を折曲部で形成してあることにより、被収納物を収納した包装箱を持ち運びする際に手の指が折曲部に当たるため、把手孔の切口に指が当たる場合に比べて指の痛さが軽減されるという利点がある。
【０００４】
しかしながら、上記特許文献１に開示されている包装箱の把手孔構造の場合、フラップ片をその先端が把手孔の上部の側壁部へ近接した上壁部へ接触するように構成されているものの、把手孔に指を掛けて包装箱を持ち運びする際、内部に収納されている被収納物が比較的軽い場合は問題がないが、被収納物が重くなると被収納物の重量は把手孔の上端の折曲部に伝わり、把手孔の上端角部から引き裂く方向の力が働くことにより把手孔の上部の側壁を破損させるという問題があった。
【０００５】
本考案の目的は、このような課題を解決するものであり、側壁に把手孔を形成する必要がなく、被収納物が重い場合でも包装箱を破損させることなく持ち運びに楽な段ボール製包装箱を提供することにある。
【課題を解決するための手段】
【０００６】
本考案の請求項１に記載の段ボール製包装箱は、２組の対向側板と、この対向側板の下端に水平な折曲線を介して連設されている底蓋形成用フラップと、同じく対向側板の上端に水平な折曲線を介して連設されている上蓋形成用フラップとからなる平面形状が矩形の段ボール製包装箱であって、１組の対向側板の下端とこの対向側板に繋がる底蓋形成用フラップとの連設部の位置で幅方向中央部で折曲線が分断され、１組の対向側板の下端とこの対向側板に繋がる底蓋形成用フラップとの連設部における両端部に存在する折曲線間において折曲線の高さよりも上側に位置する１組の対向側板の下端近傍の水平な折曲線を介して１組の対向側板に繋がる折り曲げ片が１組の対向側板と底蓋形成用フラップとに跨って形成されており、他の組の対向側板の下端に連設される底蓋形成用フラップの先端近傍部両側には切り込みを入れて折り曲げ片が形成されており、前記他の組の対向側板の突き合わせ部に沿い１組の対向側板の下端近傍に亘って貼り付けられる封緘テープによって他の組の対向側板側の折り曲げ片は先端が前記１組の対向側板側に繋がる折り曲げ片に下側から当接し他の組の対向側板側の折り曲げ片は外側に上向きに傾斜した状態となるように構成したことを特徴とする。
【０００７】
請求項２に記載の段ボール製包装箱は、１組の対向側板と底蓋形成用フラップとに跨って形成されている折り曲げ片にこの折り曲げ片の１組の対向側板との繋がり部の折曲線と平行に折曲線が形成されていることを特徴とする。
【０００８】
請求項３に記載の段ボール製包装箱は、２組の対向側板と、この対向側板の下端に水平な折曲線を介して連設されている底蓋形成用フラップと、同じく対向側板の上端に水平な折曲線を介して連設されている上蓋形成用フラップとからなる平面形状が矩形の段ボール製包装箱であって、１組の対向側板の上端とこの対向側板に繋がる上蓋形成用フラップとの連設部の位置で幅方向中央部で折曲線が分断され、１組の対向側板の上端とこの対向側板に繋がる上蓋形成用フラップとの連設部における両端部に存在する折曲線間において折曲線の高さよりも下側に位置する１組の対向側板の上端近傍の水平な折曲線を介して１組の対向側板に繋がる折り曲げ片が１組の対向側板と上蓋形成用フラップとに跨って形成されており、他の組の対向側板の上端に連設される上蓋形成用フラップの先端近傍部両側には切り込みを入れて折り曲げ片が形成されており、前記他の組の対向側板の突き合わせ部に沿い１組の対向側板の上端近傍に亘って貼り付けられる封緘テープによって他の組の対向側板側の折り曲げ片は先端が前記１組の対向側板側に繋がる折り曲げ片に上側から当接し他の組の対向側板側の折り曲げ片は外側に下向きに傾斜した状態となるように構成したことを特徴とする。
【０００９】
請求項４に記載の段ボール製包装箱は、１組の対向側板と上蓋形成用フラップとに跨って形成されている折り曲げ片にこの折り曲げ片の１組の対向側板との繋がり部の折曲線と平行に折曲線が形成されていることを特徴とする。
【考案の効果】
【００１０】
以上のように、本考案の段ボール製包装箱は、底が閉じられた包装箱の１組の対向側板の下端は幅方向中央部において外側に上向きに傾斜した状態となっているので、その部分で包装箱の底面に手指を当て易くなり、側壁に把手孔を形成している包装箱のように被収納物が重い場合包装箱を把手孔の部分で破損させるという問題もなく持ち運びに楽な段ボール製包装箱を提供することができる。また、１組の対向側板と底蓋形成用フラップとに跨って形成されている折り曲げ片にこの折り曲げ片の１組の対向側板との繋がり部の折曲線と平行に折曲線が形成されていることにより、ペットボトルなどの底部周囲が丸みを帯びたボトル類を収納する際、この両折曲線間の部分にボトル類の底部周囲の丸みを帯びた部分が載るようになり、包装箱の中でボトル類が傾くようなことがない。さらに、包装箱の１組の対向側板の上端も幅方向中央部において外側に下向きに傾斜した状態となるようにすることにより、包装箱を上に段積みしたとき、上側に位置する包装箱の１組の対向側板の下端と下側に位置する包装箱の１組の対向側板の上端との間の部分で横方向から見て＜状の空間が形成されることになり、前記＜状の空間より上側に位置する包装箱に下側から手指を当てて包装箱を持ち上げて運ぶことが容易となる。
【考案を実施するための最良の形態】
【００１１】
以下、本考案の実施の形態を、図面を用いて具体的に説明する。
先ず、図１〜図７に示す第１の実施の形態について説明すると、１は２組の対向側板２，３と、この対向側板２，３の下端に水平な折曲線４，５を介して連設されている底蓋形成用フラップ６，７と、同じく対向側板２，３の上端に水平な折曲線８，９を介して連設されている上蓋形成用フラップ１０，１１とからなる平面形状が長方形の段ボール製の包装箱である。１２は対向側板２，３間の鉛直方向に向く折曲線である。
【００１２】
そして、このような包装箱１において、短辺側の側板２の下端と底蓋形成用フラップ６との連設部の位置で幅方向中央部で折曲線４が分断され、短辺側の側板２の下端と底蓋形成用フラップ６との連設部における両端部に存在する折曲線４間において折曲線４の高さよりも上側に位置する側板２の下端近傍の水平な折曲線１３を介して側板２に繋がる折り曲げ片１４が側板２と底蓋形成用フラップ６とに跨って形成されている。１５はこの折り曲げ片１４の周りを囲むように両端が前記折曲線１３に繋がり側板２と底蓋形成用フラップ６とに跨って形成された切り込み部である。また、長辺側の側板３の下端に連設される底蓋形成用フラップ７の先端近傍部両側には切り込み１６を入れて折り曲げ片１７が形成されている。この折り曲げ片１７は先端が前記折り曲げ片１４に下側から当接するようになる。１８は前記底蓋形成用フラップ７に形成される折り曲げ片１７の折曲線である。
【００１３】
上記構成の包装箱１において、内部に被収納物を収納するときは、先ず短辺側の底蓋形成用フラップ６を先に折り曲げ、続いてこの底蓋形成用フラップ６に重なるように長辺側の底蓋形成用フラップ７を折り曲げる。短辺側の底蓋形成用フラップ６を折り曲げたとき前記折り曲げ片１４は短辺側の側板２と面一状であり、前記長辺側の底蓋形成用フラップ７を折り曲げるときに折り曲げ片１４を先に内側に折り曲げておき、その状態で長辺側の底蓋形成用フラップ７を折り曲げる。その状態で長辺側の底蓋形成用フラップ７の突き合わせ部に沿って封緘テープ１９を貼って底を閉じる。そのとき、封緘テープ１９の長さ方向両端が短辺側の側板２の下端近傍部に至り、前記折り曲げ片１７を折曲線１８で折り曲げる程度の力を掛けて折り曲げ片１７にも貼り付けるようにする。つまり、１枚の長い封緘テープ１９により短辺側の側板２の幅方向中央部で短辺側の対向する側板２間に亘って封緘テープ１９を強く引っ張るように貼り付けることにより折り曲げ片１７を折曲線１８で折り曲げ、先端を前記折り曲げ片１４の外面に下側から当接させるようにする。前記折り曲げ片１４は短辺側の側板２の下端近傍で側板２に繋がっているため、底が閉じられた状態において折り曲げ片１４と短辺側の底蓋形成用フラップ６との間に段差が形成され、この段差に折り曲げ片１７の先端が当接して折り曲げ片１７は外側に上向きに傾斜した状態となる。
【００１４】
上記のように底が閉じられた包装箱１の中に被収納物を収納し、その後上蓋を閉じる。その作業は先ず短辺側の上蓋形成用フラップ１０を先に折り曲げ、続いてこの上蓋形成用フラップ１０に重なるように長辺側の上蓋形成用フラップ１１を折り曲げ、その状態で長辺側の上蓋形成用フラップ１１の突き合わせ部に沿って封緘テープ２０を貼って上蓋を閉じる。以上のようにして包装箱１に対する収納および包装箱１の封緘作業が完了する。
【００１５】
被収納物を収納した封緘状態の包装箱１を持ち運びするときは、短辺側の側板２の幅方向中央部下端で封緘テープ１９により外側に上向きに傾斜するように押さえ付けられた折り曲げ片１７の位置に下側から手指を当てて包装箱１を持ち運びすれば良い。このとき、包装箱１に手指を当てる位置の折り曲げ片１７は外側に上向きに傾斜しているので、その部分で包装箱１が置かれた床面と包装箱１の底面との間に隙間が生じ、包装箱１の底面に手指を当て易くなる。
【００１６】
次に、図８〜図１０に示す第２の実施の形態について説明すると、この第２の実施の形態は包装箱１の短辺側において上端にも下端に設けた折り曲げ片１４および折り曲げ片１７と同様の折り曲げ片１４Ａおよび折り曲げ片１７Ａを設けたものである。さらに詳しくは、短辺側の側板２の上端と上蓋形成用フラップ１０との連設部の位置で幅方向中央部で折曲線８が分断され、短辺側の側板２の上端と上蓋形成用フラップ１０との連設部における両端部に存在する折曲線８間において折曲線８の高さよりも下側に位置する側板２の上端近傍の水平な折曲線１３Ａを介して側板２に繋がる折り曲げ片１４Ａが側板２と上蓋形成用フラップ１０とに跨って形成されている。１５Ａはこの折り曲げ片１４Ａの周りを囲むように両端が前記折曲線１３Ａに繋がり側板２と上蓋形成用フラップ１０とに跨って形成された切り込み部である。また、長辺側の側板３の上端に連設される上蓋形成用フラップ１１の先端近傍部両側には切り込み１６Ａを入れて折り曲げ片１７Ａが形成されている。この折り曲げ片１７Ａは先端が前記折り曲げ片１４Ａに下側から当接するようになる。１８Ａは前記上蓋形成用フラップ１１に形成される折り曲げ片１７Ａの折曲線である。他の構成は前記第１の実施の形態と同様である。
【００１７】
上記構成において、上蓋形成用フラップ１０，１１は包装箱１の中に被収納物が収納された後、最後に閉じられる。そのとき、長辺側の上蓋形成用フラップ１１の突き合わせ部に沿って封緘テープ２０を貼り付けて閉じられるのであるが、封緘テープ２０の貼り付けの際に前記折り曲げ片１７Ａを折曲線１８Ａで折り曲げ、先端を前記折り曲げ片１４Ａの外面に上側から当接させるようにする。前記折り曲げ片１４Ａは短辺側の側板２の上端近傍で側板２に繋がっているため、上蓋が閉じられた状態において折り曲げ片１４Ａと短辺側の上蓋形成用フラップ１０との間に段差が形成され、この段差に折り曲げ片１７Ａの先端が当接して折り曲げ片１７Ａは外側に下向きに傾斜した状態となる。
【００１８】
以上のように包装箱１の封緘状態において上下共に折り曲げ片１７Ａ，１７が傾斜することにより、包装箱１を図１０に示すように上に段積みしたとき、上側に位置する包装箱１の短辺側の側板２の下端と下側に位置する包装箱１の短辺側の側板２の上端との間の折り曲げ片１７Ａ，１７の部分で横方向から見て＜状の空間が形成されることになり、前記＜状の空間より上側に位置する包装箱１に下側から手指を当てて包装箱１を持ち上げて運ぶことが容易となる。
【００１９】
次に、図１１〜図１４に示す第３の実施の形態について説明すると、この第３の実施の形態は前記第１の実施の形態の包装箱１の短辺側の側板２と底蓋形成用フラップ６とに跨って形成されている折り曲げ片１４に前記折曲線４と同一線上に折曲線１３と平行に折曲線２１が形成されている。他の構成は前記第１の実施の形態と同様である。
【００２０】
この第３の実施の形態の包装箱１は上記のように折り曲げ片１４に前記折曲線４と同一線上に折曲線１３と平行に折曲線２１を形成してあるので、封緘テープ１９の貼り付けの際に折り曲げ片１７の先端を折り曲げ片１４の外面に下側から当接させる力が働くが、そのときに折り曲げ片１４の途中は折曲線２１で折れ曲がり、折り曲げ片１４の折曲線１３と折曲線２１との間の部分１４ａが外側に上向きに傾斜するようになる。
【００２１】
つまり、この第３の実施の形態の包装箱１はペットボトルなどの底部周囲が丸みを帯びたボトル類２２を収納するのに適し、前記折り曲げ片１４の折曲線１３と折曲線２１との間の部分１４ａにボトル類２２の底部周囲の丸みを帯びた部分が載るようにしたものである。
【００２２】
この第３の実施の形態の構成を前記第２の実施の形態と同様に包装箱１の短辺側における上端にも採用するようにしても良く、あるいは前記第２の実施の形態で採用した構成を包装箱１の短辺側における上端に採用するようにしても良い。
【００２３】
さらに、以上述べた各実施の形態では包装箱１は平面形状が長方形であるが、包装箱１は平面形状が正方形であっても良い。
【図面の簡単な説明】
【００２４】
【図１】本考案の第１の実施の形態における包装箱の展開図である。
【図２】同包装箱の組み立て途中の状態を示す斜視図である。
【図３】同包装箱の底蓋の組み立て途中の状態を示す斜視図である。
【図４】同包装箱の底蓋を閉じた状態を示す斜視図である。
【図５】同包装箱の上蓋を閉じた封緘状態を示す斜視図である。
【図６】同要部拡大斜視図である。
【図７】同要部拡大断面図である。
【図８】本考案の第２の実施の形態における包装箱の展開図である。
【図９】同包装箱の底蓋および上蓋を閉じた封緘状態を示す斜視図である。
【図１０】同包装箱を段積みした状態を示す斜視図である。
【図１１】本考案の第３の実施の形態における包装箱の展開図である。
【図１２】同包装箱の底蓋の組み立て途中の状態を示す斜視図である。
【図１３】同包装箱の底蓋を閉じた状態を示す斜視図である。
【図１４】同包装箱内にボトル類を収納した状態を示す断面図である。
【符号の説明】
【００２５】
１            包装箱
２，３        対向側板
４，５        折曲線
６，７        底蓋形成用フラップ
８，９        折曲線
１０，１１      上蓋形成用フラップ
１２            折曲線
１３，１３Ａ    折曲線
１４，１４Ａ    折り曲げ片
１４ａ          折曲線間の部分
１５，１５Ａ    切り込み部
１６，１６Ａ    切り込み
１７，１７Ａ    折り曲げ片
１８，１８Ａ    折曲線
１９，２０      封緘テープ
２１            折曲線
２２            ボトル類
【図１】
0003148102.tif 000003
【図２】
0003148102.tif 000004
【図３】
0003148102.tif 000005
【図４】
0003148102.tif 000006
【図５】
0003148102.tif 000007
【図６】
0003148102.tif 000008
【図７】
0003148102.tif 000009
【図８】
0003148102.tif 000010
【図９】
0003148102.tif 000011
【図１０】
0003148102.tif 000012
【図１１】
0003148102.tif 000013
【図１２】
0003148102.tif 000014
【図１３】
0003148102.tif 000015
【図１４】
0003148102.tif 000016